(57)【要約】      （修正有）【課題】検体を採取した検体採取用具から簡便に分析用試料作成を行える分析装置、検体採取用具、分析方法および分析プログラムを提供する。【解決手段】検体の分析用試料を作成する分析用試料作成部１１３と、検体を保持した検体採取用具を搬送する検体採取用具搬送部材１３０と、分析部１１０と、検体採取用具を分析用試料作成部１１３に搬送し、分析用試料作成部１１３で検体採取用具から検体を分析用試料作成部材に直接移動させるように検体採取用具搬送部材１３０を制御する制御部１０２ｃと、を備える。【選択図】図１
2015052593.tif 000002
【特許請求の範囲】
【請求項１】
検体と分析用試料作成部材とを用いて前記検体の分析用試料を作成する分析用試料作成部と、
検体を保持した検体採取用具が外部から装着されて、当該検体採取用具を搬送する検体採取用具搬送部材と、
前記分析用試料を分析する分析部と、
前記検体採取用具を前記分析用試料作成部に搬送し、前記分析用試料作成部で前記検体採取用具から前記検体を前記分析用試料作成部材に直接移動させるように検体採取用具搬送部材を制御する制御部と、を備える分析装置。
【請求項２】
前記検体採取用具は、毛細管現象を利用して前記検体を採取する検体採取部を有している請求項１記載の分析装置。
【請求項３】
前記分析用試料作成部材が希釈液を有しており、前記制御部は、前記検体採取用具を前記希釈液中に浸すことにより前記検体採取用具から前記検体を前記分析用試料作成部材に直接移動させるように検体採取用具搬送部材を制御する請求項２記載の分析装置。
【請求項４】
前記制御部は、前記検体採取用具を前記希釈液中でさらに運動させることにより前記検体採取用具から前記検体を前記分析用試料作成部材に直接移動させるように検体採取用具搬送部材を制御する請求項３記載の分析装置。
【請求項５】
前記検体採取用具は、キャピラリを有している請求項１〜４のいずれか一項に記載の分析装置。
【請求項６】
前記検体採取用具は、液体吸収素材を有している請求項１〜４のいずれか一項に記載の分析装置。
【請求項７】
前記検体採取用具搬送部材は、前記検体採取用具が取り付けられる検体採取用具取り付け部を有し、前記検体採取用具は、前記検体採取用具を前記検体採取用具取り付け部に取り付ける取り付け部材をさらに有している請求項１〜６のいずれか一項に記載の分析装置。
【請求項８】
前記検体採取用具搬送部材は、前記検体採取用具が取り付けられる検体採取用具取り付け部を有し、前記検体採取用具取り付け部は、前記検体採取用具を前記検体採取用具取り付け部に取り付ける取り付け部材をさらに有している、請求項１〜６のいずれか一項に記載の分析装置。
【請求項９】
前記検体よりも量が多い第２の検体を採取するノズルをさらに備え、
前記検体採取用具取り付け部は前記ノズルとは異なる請求項７又は８に記載の分析装置。
【請求項１０】
前記検体よりも量が多い第２の検体を採取するノズルをさらに備え、
前記検体採取用具取り付け部は前記ノズルを有している請求項７又は８に記載の分析装置。
【請求項１１】
前記検体採取用具を廃棄する廃棄部をさらに備え、前記制御部は、前記検体採取用具を前記分析用試料作成部で前記検体採取用具から前記検体を前記分析用試料作成部材に直接移動させた後に、前記検体採取用具を廃棄部に廃棄するように検体採取用具搬送部材を制御する請求項１〜１０のいずれか一項に記載の分析装置。
【請求項１２】
検体と分析用試料作成部材とを用いて前記検体の分析用試料を作成する分析用試料作成部と、
前記検体を採取する検体採取用具を前記分析用試料作成部に搬送し、前記分析用試料作成部で前記検体採取用具から前記検体を前記分析用試料作成部材に直接移動させる検体採取用具搬送部材と、
前記分析用試料を分析する分析部と、
を備える分析装置。
【請求項１３】
請求項１〜１２のいずれか１項に記載の分析装置に対して取り付けられる、毛細管現象を利用して検体を採取する検体採取部を備えた検体採取用具であって、
前記検体採取用具を搬送する検体採取用具搬送部材に前記検体採取用具を取り付ける取り付け部材をさらに備えている検体採取用具。
【請求項１４】
検体を保持した検体採取用具を、前記検体採取用具を搬送する検体採取用具搬送部材に外部から取り付ける工程と、
前記検体と分析用試料作成部材とを用いて前記検体の分析用試料を作成する分析用試料作成部に前記検体採取用具搬送部材により前記検体を搬送する工程と、
前記分析用試料作成部で前記検体採取用具から前記検体を前記分析用試料作成部材に直接移動させる工程と、
前記分析用試料を分析する工程と、
を備える分析方法。
【請求項１５】
検体と分析用試料作成部材とを用いて前記検体の分析用試料を作成する分析用試料作成部に、前記検体を保持した検体採取用具を、前記検体採取用具を搬送する検体採取用具搬送部材に当該検体採取用具を外部から取り付けた状態で、搬送する工程と、
前記分析用試料作成部で前記検体採取用具から前記検体を、前記検体採取用具搬送部材により前記分析用試料作成部材に直接移動させる工程と、
前記分析用試料を分析する工程と、
を備える分析方法。
【請求項１６】
コンピュータに、
検体と分析用試料作成部材とを用いて前記検体の分析用試料を作成する分析用試料作成部に、前記検体を保持した検体採取用具を、前記検体採取用具を搬送する検体採取用具搬送部材に当該検体採取用具を外部から取り付けた状態で、搬送する手順と、
前記分析用試料作成部で前記検体採取用具から前記検体を、前記検体採取用具搬送部材により前記分析用試料作成部材に直接移動させる手順と、
前記分析用試料を分析する手順と、
を実行させる分析プログラム。
【発明の詳細な説明】
【技術分野】
【０００１】
本発明は、分析装置、検体採取用具、分析方法および分析プログラムに関する。
【背景技術】
【０００２】
採血できる血液量が少ない場合には、キャピラリで採血することが行われている。
【０００３】
このようなキャピラリに採取された血液試料を自動分析装置にそのままセットすることができるようにするための方法として、特許文献１には、自動分析装置のサンプルカップと同サイズのホルダーにキャピラリを収容する技術が開示されている。この技術では、自動分析装置のサンプル部にホルダーごとセットし、装置内で固定設置したホルダー中のキャピラリからノズルで採血試料を吸引する。
【０００４】
また、特許文献２には、キャピラリを把持するためのツマミ部として機能し、かつ、キャピラリの採血側開口と反対側の開口を拡大するテーパ状のノズル導入孔を有するアダプタが開示されている。この技術では、アダプタをキャピラリ採血管に結合し、自動分析装置のノズルの先端をアダプタのノズル導入孔に導入することで、当該キャピラリ中の血液を前記ノズルにより吸引する。
【先行技術文献】
【特許文献】
【０００５】
【特許文献１】実開平６−７０４２号公報
【特許文献２】特許第４８０７５８７号公報
【発明の概要】
【発明が解決しようとする課題】
【０００６】
しかしながら、これらの技術では、キャピラリからノズルで採血試料を吸引するための構造が煩雑であり、また、キャピラリからノズルで採血試料を吸引する工程も複雑である。
【０００７】
本発明の目的は、検体を採取した検体採取用具から簡便に分析用試料作成を行える分析装置、検体採取用具、分析方法および分析プログラムを提供することにある。
【課題を解決するための手段】
【０００８】
本発明の一態様によれば、
検体と分析用試料作成部材とを用いて前記検体の分析用試料を作成する分析用試料作成部と、検体を保持した検体採取用具が外部から取り付けられて、当該検体採取用具を搬送する検体採取用具搬送部材と、前記分析用試料を分析する分析部と、前記検体採取用具を前記分析用試料作成部に搬送し、前記分析用試料作成部で前記検体採取用具から前記検体を前記分析用試料作成部材に直接移動させるように検体採取用具搬送部材を制御する制御部と、を備える分析装置が提供される。
【０００９】
本発明の他の態様によれば、検体と分析用試料作成部材とを用いて前記検体の分析用試料を作成する分析用試料作成部と、前記検体を採取する検体採取用具を前記分析用試料作成部に搬送し、前記分析用試料作成部で前記検体採取用具から前記検体を前記分析用試料作成部材に直接移動させる検体採取用具搬送部材と、前記分析用試料を分析する分析部と、備える分析装置が提供される。
【００１０】
本発明のさらに他の態様によれば、毛細管現象を利用して検体を採取する検体採取部を備えた検体採取用具であって、前記検体採取用具を搬送する検体採取用具搬送部材に前記検体採取用具を取り付ける取り付け部材をさらに備えている検体採取用具が提供される。
【００１１】
本発明のさらに他の態様によれば、検体を保持した検体採取用具を、前記検体採取用具を搬送する検体採取用具搬送部材に外部から取り付ける工程と、前記検体と分析用試料作成部材とを用いて前記検体の分析用試料を作成する分析用試料作成部に前記検体採取用具搬送部材により前記検体を搬送する工程と、前記分析用試料作成部で前記検体採取用具から前記検体を前記分析用試料作成部材に直接移動させる工程と、前記分析用試料を分析する工程と、を備える分析方法が提供される。
【００１２】
本発明のさらに他の態様によれば、検体と分析用試料作成部材とを用いて前記検体の分析用試料を作成する分析用試料作成部に、検体を保持した検体採取用具を、前記検体採取用具を搬送する検体採取用具搬送部材に当該検体採取用具を外部から取り付けた状態で、搬送する工程と、前記分析用試料作成部で前記検体採取用具から前記検体を、前記検体採取用具搬送部材により前記分析用試料作成部材に直接移動させる工程と、前記分析用試料を分析する工程と、を備える分析方法が提供される。
【００１３】
本発明のさらに他の態様によれば、コンピュータに、検体と分析用試料作成部材とを用いて前記検体の分析用試料を作成する分析用試料作成部に、検体を保持した検体採取用具を、前記検体採取用具を搬送する検体採取用具搬送部材に当該検体採取用具を外部から取り付けた状態で、搬送する手順と、前記分析用試料作成部で前記検体採取用具から前記検体を、前記検体採取用具搬送部材により前記分析用試料作成部材に直接移動させる手順と、前記分析用試料を分析する手順と、を実行させる分析プログラムが提供される。
【発明の効果】
【００１４】
本発明によれば、検体を採取した検体採取用具から簡便に分析用試料作成を行える分析装置、検体採取用具、分析方法および分析プログラムが提供される。
【図面の簡単な説明】
【００１５】
【図１】図１は、本発明の第１の実施の形態の血液分析装置を説明するための概略斜視図である。
【図２】図２は、本発明の第１の実施の形態の血液分析装置のキャピラリ搬送部材を説明するための概略斜視図である。
【図３】図３は、本発明の第１の実施の形態の血液分析装置で好適に使用するキャピラリ部材を説明するための概略斜視図である。
【図４】図４は、本発明の第１の実施の形態の血液分析装置のキャピラリ搬送部材のキャピラリ部材取り付け部の構造を説明するための概略斜視図である。
【図５】図５は、本発明の第１の実施の形態の血液分析装置のキャピラリ搬送部材にキャピラリ部材を取り付けた構造を説明するための概略斜視図である。
【図６】図６は、本発明の第１の実施の形態の血液分析装置でキャピラリ部材を使用して分析を行う方法を説明するためのフローチャートである。
【図７】図７は、本発明の第１の実施の形態の血液分析装置で採血管を使用して分析を行う方法を説明するためのフローチャートである。
【図８】図８は、本発明の第１の実施の形態の血液分析装置で採血管を使用して分析を行う方法を説明するためのフローチャートである。
【図９】図９は、本発明の第２の実施の形態の血液分析装置を説明するための概略斜視図である。
【図１０】図１０は、本発明の第３の実施の形態の血液分析装置を説明するための概略斜視図である。
【図１１】図１１は、図７の部分拡大概略斜視図である。
【図１２】図１２は、本発明の第３の実施の形態の血液分析装置の第１の変形例を説明するための部分拡大概略斜視図である。
【図１３】図１３は、本発明の第３の実施の形態の血液分析装置の第２の変形例を説明するための部分拡大概略斜視図である。
【図１４】図１４は、本発明の第３の実施の形態の血液分析装置の第３の変形例を説明するための部分拡大概略斜視図である。
【図１５】図１５は、本発明の第３の実施の形態の血液分析装置の第４の変形例を説明するための部分拡大概略斜視図である。
【図１６】図１６は、本発明の第３の実施の形態の血液分析装置の第５の変形例を説明するための部分拡大概略斜視図である。
【図１７】図１７は、本発明の第４の実施の形態の血液分析装置を説明するための概略斜視図である。
【図１８】図１８は、本発明の第５の実施の形態の検体分析装置を説明するための概略斜視図である。
【図１９】図１９は、本発明の第６の実施の形態の検体分析装置を説明するための概略斜視図である。
【発明を実施するための形態】
【００１６】
次に、図面を参照して本発明の好ましい実施の形態の血液分析装置を説明する。なお、血液分析装置は、分析装置の一例である。以下の実施の形態の血液分析装置によれば、０．５μl〜１０μlといった微量の検体を用いた測定を実現できる。すなわち、以下の実施の形態の血液分析装置によれば、例えば、１μl〜８μlの微量検体測定に有効であり、また、例えば、２μl〜５μlの微量検体測定に有効である。
【００１７】
（第１の実施の形態）
乳幼児の場合、採血できる血液量が非常に少ないため、乳幼児の血液試料は、チューブ状に形成されたキャピラリに収容されて血液検査に用いられる。キャピラリに収容される血液の量は、数μｌ（リットル）程度である。成人の場合は、採血できる血液量が多いので、成人の血液試料は、採血管に収容されて血液検査に用いられる。本実施の形態の血液分析装置は、キャピラリに収容された血液試料および採血管に収容された血液試料の両方を自動で血液分析できる。
【００１８】
図１を参照すれば、本実施の形態の血液分析装置１は、血液分析装置本体１００と、血液分析装置本体１００の前面１０１の上部左側に取り付けられた制御部１０２と、血液分析装置本体１００の前面１０１の上部右側に取り付けられたカバー１０３と、血液分析装置本体１００の前面１０１の下部に取り付けられた採血管ラック搭載部１０４とを備えている。採血管ラック搭載部１０４は移動台１０５を備え、移動台１０５上に複数の採血管１０６を立設する採血管ラック１０７が搭載されている。移動台１０５は後述するコントローラ１０２ｃにより制御されて、前後左右に移動する。
【００１９】
制御部１０２は、制御部１０２の前面１０２ａに設けられた表示操作部１０２ｂと、制御部１０２の内部に設けられたコントローラ１０２ｃとを備えている。コントローラ１０２ｃは、例えばマイクロコンピュータで構成されている。表示操作部１０２ｂはコントローラ１０２ｃの内部バスを介してコントローラ１０２ｃのＣＰＵに接続され、操作状態や分析結果の表示や操作用信号の受付等を行う。コントローラ１０２ｃは制御部の一例である。
【００２０】
血液分析装置本体１００内には、分析ボックス１１０、廃棄箱１１２、希釈槽１１３、洗浄槽１１４が設けられている。希釈槽１１３と分析ボックス１１０は、配管１１５で結合されている。配管１１５の途中にはポンプ１１６が設けられている。分析ボックス１１０およびポンプ１１６はコントローラ１０２ｃで制御される。希釈槽１１３内の希釈液で血液検体は希釈される。希釈された血液検体は、ポンプ１１６で分析ボックス１１０に移送される。希釈液は分析用試料作成部材の一例であり、希釈された血液検体は分析用試料の一例である。希釈槽１１３は分析用試料作成部の一例であり、分析ボックス１１０は分析部の一例である。分析ボックス１１０は高速液体クロマトグラフィー（ＨＰＬＣ：High performance liquid chromatography）を備えている。
【００２１】
血液分析装置１は、ノズル搬送ライン１２０と、キャピラリ部材搬送ライン１３０とを備えている。
【００２２】
ノズル搬送ライン１２０は、ノズル１２１と、ノズル１２１を採血位置１２２と、希釈槽１１３と、洗浄槽１１４との間で搬送するノズル搬送部１２３とを備えている。
【００２３】
キャピラリ部材搬送ライン１３０は、後述するキャピラリ部材１５０（図３参照）が取り付けられる取り付け棒１３１と、取り付け棒１３１に取り付けられたキャピラリ部材１５０をキャピラリ部材取り付け位置１３２と希釈槽１１３と廃棄箱１１２との間で搬送するキャピラリ部材搬送部１３３とを備えている。キャピラリ部材搬送ライン１３０は、検体採取用具搬送部材の一例であり、キャピラリ部材１５０は検体採取用具の一例であり、取り付け棒１３１は検体採取用具取り付け部の一例である。
【００２４】
図２を参照すれば、ノズル搬送部１２３は、垂直搬送部１２４と水平搬送部１２５とを備えている。垂直搬送部１２４は、プーリー１２４ａ及びプーリー１２４ｂと、プーリー１２４ａとプーリー１２４ｂとの間に張られたベルト１２４ｃと、プーリー１２４ａに直結したモータ１２４ｄと、ベルト１２４ｃに固定され、ノズル１２１を垂直に取り付けるノズル取り付け部材１２４ｅとを備えている。水平搬送部１２５は、プーリー１２５ａ及び１２５ｂと、プーリー１２５ａとプーリー１２５ｂとの間に張られたベルト１２５ｃと、プーリー１２５ａに直結したモータ１２５ｄとを備えている。垂直搬送部１２４はベルト１２５ｃに固定されている。モータ１２５ｄを駆動することにより垂直搬送部１２４が水平方向に移動し、垂直搬送部１２４に取り付けられたノズル１２１が水平方向に移動する。モータ１２４ｄを駆動することによりノズル１２１が垂直方向に移動する。ノズル１２１には、チューブ１２６ｂを介してポンプ１２６ａが取り付けられている。コントローラ１０２ｃ（図１参照）は、モータ１２４ｄ及びモータ１２５ｄを制御して、ノズル搬送部１２３とノズル搬送ライン１２０を制御する。ポンプ１２６ａもコントローラ１０２ｃで制御される。
【００２５】
キャピラリ部材搬送部１３３は、垂直搬送部１３４と水平搬送部１３５とを備えている。垂直搬送部１３４は、プーリー１３４ａ及びプーリー１３４ｂと、プーリー１３４ａと１３４ｂとの間に張られたベルト１３４ｃと、プーリー１３４ａに直結したモータ１３４ｄと、ベルト１３４ｃに固定され、取り付け棒１３１を垂直に取り付ける取り付け棒取り付け部材１３４ｅとを備えている。水平搬送部１３５は、プーリー１３５ａ及びプーリー１３５ｂと、プーリー１３５ａと１３５ｂとの間に張られたベルト１３５ｃと、プーリー１３５ａに直結したモータ１３５ｄとを備えている。垂直搬送部１３４はベルト１３５ｃに固定されている。モータ１３５ｄを駆動することにより垂直搬送部１３４が水平方向に移動し、垂直搬送部１３４に取り付けられた取り付け棒１３１が水平方向に移動する。モータ１３４ｄを駆動することにより取り付け棒１３１が垂直方向に移動する。コントローラ１０２ｃ（図１参照）は、モータ１３４ｄ及びモータ１３５ｄを制御して、キャピラリ部材搬送部１３３とキャピラリ部材搬送ライン１３０を制御する。
【００２６】
図３を参照すれば、キャピラリ部材１５０は、血液採取部１６０とキャピラリ取り付け部１５１とを備えている。血液採取部１６０は検体採取部の一例であり、キャピラリ取り付け部１５１は取り付け部材の一例である。血液採取部１６０にはキャピラリ１６１が設けられている。キャピラリ１６１の両側には開口１６１ａ、１６１ｂが形成されており、キャピラリ１６１の両側が開放されている。キャピラリ１６１の開口１６１ａを血液等の検体に浸すと、毛細管現象により血液等の検体はキャピラリ１６１内に吸引される。
【００２７】
キャピラリ１６１の直径は、例えば、１．２ｍｍであり、長さは、例えば５．５ｍｍである。このようにキャピラリ１６１の直径を大きくして、長さを短くしているので、吸引速度が大きくなり、また、希釈液内に血液等の検体が拡散しやすくなる。なお、キャピラリ１６１の直径は０．２ｍｍ〜２．０ｍｍの範囲にあることが好ましく、０．８ｍｍ〜２．０ｍｍであることがより好ましく、長さは１ｍｍ〜１０ｍｍの範囲にあることが好ましく、１ｍｍ〜７ｍｍであることがより好ましい。これにより、１μl〜８μlの微量検体を検体採取用具に採取できる。
【００２８】
キャピラリ取り付け部１５１は、取り付け基台１５２と、押さえ部材１５３とを備えている。押さえ部材１５３の一端部１５３ａは取り付け基台１５２の一端部１５２ａに取り付けられている。押さえ部材１５３の他端部１５３ｄ側には凹部１５３ｃが設けられている。押さえ部材１５３の一端部１５３ａと凹部１５３ｃとの間には、凸部１５３ｂが設けられている。凸部１５３ｂを押すと、一端部１５３ａを支点として押さえ部材１５３が取り付け基台１５２から遠ざかる方向に移動する。この状態で取り付け基台１５２の他端部１５２ｄ側から取り付け基台１５２と押さえ部材１５３との間に取り付け棒１３１が挟まれるようにしてキャピラリ取り付け部１５１を差し込むと、取り付け棒１３１が取り付け基台１５２のストッパー１５２ｅと押さえ部材１５３のストッパー１５３ｅとで止められる。そして、押さえ部材１５３の凸部１５３ｂを押すのをやめると、取り付け基台１５２の凹部１５２ｃと押さえ部材１５３の凹部１５３ｃに取り付け棒１３１が嵌め込まれ、押さえ部材１５３によって取り付け基台１５２側に押さえられた状態で、キャピラリ取り付け部１５１が取り付け棒１３１に取り付けられる。なお、ここでは、血液採取部１６０とキャピラリ取り付け部１５１は一体化されているが、互いに別体であって、使用時に組み合わせて使用する形態でもよい。
【００２９】
図４を参照すれば、キャピラリ部材取り付け位置１３２では、取り付け棒１３１の奥側には、取り付け棒奥行き止め部材１３６が設けられている。これにより、取り付け棒１３１にキャピラリ部材１５０を手前側から差し込んで取り付ける場合に、取り付け棒１３１の変形を防止している。また、取り付け棒１３１の奥側の両側には、キャピラリ部材１５０の傾き抑制用の壁１３７ａ、１３７ｂが設けられている。図５を参照すれば、取り付け棒１３１にキャピラリ部材１５０を手前側から差し込んで取り付ける。
【００３０】
次に、本実施の形態の血液分析装置１を使用して、血液分析を行う方法について説明する。
【００３１】
図６を参照して、最初にキャピラリ部材１５０（図３参照）を使用して乳幼児等の微量の血液検体の分析を行う場合について説明する。
【００３２】
まず、指先、耳朶等から少量の血液を出血させ、その血液検体に、キャピラリ部材１５０（図３参照）のキャピラリ１６１の開口１６１ａを浸すと、毛細管現象により血液検体はキャピラリ１６１内に吸引される。
【００３３】
一方では、コントローラ１０２ｃによりキャピラリ部材搬送ライン１３０を制御して、取り付け棒１３１をキャピラリ部材取り付け位置１３２（図１、４参照）に移動させておく（ステップＳ３０１）。
【００３４】
次に、キャピラリ部材取り付け位置１３２に位置している取り付け棒１３１に、キャピラリ１６１内に血液が収容されたキャピラリ部材１５０を取り付ける。取り付けは、キャピラリ部材１５０の凸部１５３ｂを押し、押さえ部材１５３と取り付け基台１５２とを開いた状態とし、取り付け基台１５２と押さえ部材１５３との間に取り付け棒１３１が挟まれるようにしてキャピラリ取り付け部１５１を差し込んで行う（図３〜５参照）。
【００３５】
次に、コントローラ１０２ｃによりキャピラリ部材搬送ライン１３０を制御して、キャピラリ部材１５０が取り付けられた取り付け棒１３１を希釈槽１１３の上部まで移動させる（ステップＳ３０２）。
【００３６】
次に、コントローラ１０２ｃによりキャピラリ部材搬送ライン１３０を制御して、取り付け棒１３１を下降させて、キャピラリ１６１を希釈槽１１３内の希釈液に浸し、キャピラリ１６１を希釈液中で上下運動させる。キャピラリ１６１を希釈槽１１３内の希釈液に浸すことにより、キャピラリ１６１内の血液検体が希釈液中に直接移動する（ステップＳ３０３）。キャピラリ１６１を希釈槽１１３内の希釈液に浸すだけで、血液検体は希釈液中に移動するが、キャピラリ１６１を希釈液中で上下運動させることにより、より迅速に移動させることができる。
【００３７】
次に、コントローラ１０２ｃによりキャピラリ部材搬送ライン１３０を制御して、取り付け棒１３１を上昇させて、キャピラリ１６１を希釈槽１１３内の希釈液から取り出す（ステップＳ３０４）。
【００３８】
次に、コントローラ１０２ｃによりポンプ１１６を制御して、血液検体が移動した希釈液を、分析ボックス１１０に移送する（ステップＳ３１１）。
【００３９】
次に、コントローラ１０２ｃにより分析ボックス１１０を制御して、希釈された血液検体の分析を行う（ステップＳ３１２）。
【００４０】
一方では、コントローラ１０２ｃによりキャピラリ部材搬送ライン１３０を制御して、キャピラリ部材１５０が取り付けられた取り付け棒１３１を廃棄箱１１２の上部まで移動させる（ステップＳ３０５）。
【００４１】
次に、コントローラ１０２ｃによりキャピラリ部材搬送ライン１３０を制御して、取り付け棒１３１を下降させて、キャピラリ部材１５０を廃棄箱１１２に廃棄する（ステップＳ３０６）。
【００４２】
次に、図７、８を参照して、採血管１０６を使用して、乳幼児等の血液検体よりも量の多い成人等の血液検体の分析を行う場合について説明する。
【００４３】
まず、成人等の血液検体を採血した採血管１０６を複数保持した採血管ラック１０７を採血管ラック搭載部１０４の移動台１０５上に搭載する（図１参照）。
【００４４】
次に、コントローラ１０２ｃにより移動台１０５を制御して、測定対象となる採血管１０６を採血位置１２２に移動する（ステップＳ１０１）。
【００４５】
次に、コントローラ１０２ｃによりノズル搬送ライン１２０を制御して、ノズル１２１を測定対象となる採血管１０６の上部まで移動させる（ステップＳ１０２）。
【００４６】
次に、コントローラ１０２ｃによりノズル搬送ライン１２０を制御して、ノズル１２１を下降させて、ノズル１２１を採血管１０６内に血液検体に浸す（ステップＳ１０３）。
【００４７】
次に、コントローラ１０２ｃによりポンプ１２６ａを制御して、採血管１０６内の血液検体をノズル１２１内に移動させる（ステップＳ１０４）。
【００４８】
次に、コントローラ１０２ｃによりノズル搬送ライン１２０を制御して、ノズル１２１を採血管１０６の上部に移動させる（ステップＳ１０５）。
【００４９】
次に、コントローラ１０２ｃによりノズル搬送ライン１２０を制御して、ノズル１２１を希釈槽１１３の上部まで移動させる（ステップＳ１０６）。
【００５０】
次に、コントローラ１０２ｃによりノズル搬送ライン１２０を制御してノズル１２１を下降させる。そして、ノズル１２１を希釈槽１１３内の希釈液に浸して希釈液中で上下運動させ、ノズル１２１内の血液検体を希釈槽１１３内の希釈液に移動させる（ステップＳ１０７）。
【００５１】
次に、コントローラ１０２ｃによりノズル搬送ライン１２０を制御して、ノズル１２１を上昇させて、ノズル１２１を希釈槽１１３内の希釈液から取り出す（ステップＳ１０８）。
【００５２】
次に、コントローラ１０２ｃによりポンプ１１６を制御して、血液検体が移動した希釈液を、分析ボックス１１０に移送する（ステップＳ１１１）。
【００５３】
次に、コントローラ１０２ｃにより分析ボックス１１０を制御して、希釈された血液検体の分析を行う（ステップＳ１１２）。
【００５４】
一方では、コントローラ１０２ｃによりノズル搬送ライン１２０を制御して、ノズル１２１を洗浄槽１１４の上部まで移動させる（ステップＳ１０９）。
【００５５】
次に、コントローラ１０２ｃによりノズル搬送ライン１２０を制御して、ノズル１２１を下降させて、ノズル１２１を洗浄槽１１４内の洗浄に浸し、ノズル１２１を洗浄する（ステップＳ１１０）。
【００５６】
次に、コントローラ１０２ｃによりノズル搬送ライン１２０を制御して、ノズル１２１を洗浄槽１１４の上部まで移動させる（ステップＳ１１１）。
【００５７】
次に、コントローラ１０２ｃによりノズル搬送ライン１２０を制御して、ノズル１２１を採血位置１２２に移動する（ステップＳ１１２）。
【００５８】
本実施の形態では、キャピラリ１６１を備えるキャピラリ部材１５０を取り付け棒１３１に取り付け、キャピラリ１６１内の血液検体をキャピラリ１６１から直接希釈液に移動させているので、簡便に分析用試料を作成できる。
【００５９】
また、キャピラリ１６１内の血液検体をキャピラリ１６１から直接希釈液に移動させているので、キャピラリ内の血液検体を移動させるためにノズル等を使用する必要がない。また、ノズル等による吸引に起因する検体の損失もない。すなわち、測定に必要な量のみ人から採取する場合において、検体を別途容器に収容し、当該容器から検体を吸引する場合、ノズル吸引後に、当該容器に検体が残存し、これは結局検体の損失となるので、定量性が出ない。一方、本発明における直接キャピラリを移動させる方法によれば、このような事態は生じず、定量性を確保できる。
【００６０】
さらに、採血管１０６から採血するノズル１２１とは別に、キャピラリ部材１５０を取り付ける取り付け棒１３１を使用しているので、ノズル１２１に汚染が生じることもない。
【００６１】
（第１の実施の形態の変形例１）
なお、本実施の形態では、検体採取用具の一例として、キャピラリ１６１を有するキャピラリ部材１５０を使用しているが、検体採取部にろ紙等の液体吸収素材を使用してもよい。この場合、キャピラリ取り付け部１５１に代えてろ紙取り付け部（図示せず）を使用して、ろ紙を取り付け棒１３１に取り付け、ろ紙に血液検体を吸収させる。そして、キャピラリ部材搬送ライン１３０により、血液検体を吸収したろ紙を希釈槽１１３内の希釈液に浸し、好ましくは、希釈液中で上下運動させて、ろ紙に吸収された血液検体を希釈槽１１３内の希釈液に移動させる。
【００６２】
（第２の実施の形態）
図９を参照すれば、本実施の形態では、取り付け棒１３１を使用せず、キャピラリ部材１５０もノズル１２１に取り付ける点が第１の実施の形態と異なる。また、他の点は第１の実施の形態と同様である。なお、キャピラリ部材１５０もノズル１２１に取り付けるため、本実施の形態では、共通の１本のノズル搬送ライン２２０とし、それに伴って、廃棄箱１１２、希釈槽１１３および洗浄槽１１４も直線状に配置している。このようにキャピラリ部材１５０もノズル１２１に取り付けることにより、血液分析装置１がより簡単な構造となる。
【００６３】
（第３の実施の形態）
図１０及び図１１を参照すれば、本実施の形態では、取り付け棒１３１はキャピラリ部材取り付け部１３１ａを有し、キャピラリ部材取り付け部１３１ａは、キャピラリ部材１５０をキャピラリ部材取り付け部１３１ａに取り付ける取り付け部材３００を有している点が第１の実施の形態と異なる。また、他の点は第１の実施の形態と同様である。なお、キャピラリ部材取り付け部１３１ａは検体採取用具取り付け部の一例である。
【００６４】
図１１を参照すれば、取り付け部材３００はＯリング３０１を有しており、キャピラリ部材１５０の被取り付け部３５０をＯリング３０１に嵌め込むことで、キャピラリ部材１５０を取り付け棒１３１に取り付ける。
【００６５】
（第３の実施の形態の変形例１）
図１２を参照すれば、取り付け部材３００は、挟み込み部材３０２を有している。そして、挟み込み部材３０２の挟み込み部３０２ａ及び挟み込み部３０２ｂを広げて、挟み込み部３０２ａと３０２ｂとの間にキャピラリ部材１５０の被取り付け部３５１を挟み込む。その後、挟み込み部３０２ａ及び３０２ｂを閉じることで、ばね部材３０３により挟み込み部３０２ａ及び３０２ｂが内側に付勢されて、キャピラリ部材１５０を取り付け棒１３１に取り付ける。
【００６６】
（第３の実施の形態の変形例２）
図１３を参照すれば、取り付け部材３００は嵌め込み部３０４を有している。そして、キャピラリ部材１５０の嵌め込み３５２を取り付け部材３００の嵌め込み部３０４に嵌め込むことにより、キャピラリ部材１５０を取り付け棒１３１に取り付ける。
【００６７】
（第３の実施の形態の変形例３）
図１４を参照すれば、取り付け部材３００は取り付け部３０５を有している。そして、キャピラリ部材１５０の取り付け部３５３の凸部３５３ａ及び凸部３５３ｂを取り付け部材３００の取り付け部３０５の凹部３０５ａ及び凹部３０５ｂにそれぞれ挿入する。その後、取り付け部材３００又はキャピラリ部材１５０を回転させることにより、キャピラリ部材１５０を取り付け棒１３１に取り付ける。
【００６８】
（第３の実施の形態の変形例４）
図１５を参照すれば、取り付け部材３００は取り付け部３０６を有している。そして、キャピラリ部材１５０の取り付け部３５４の凸部３５４ａを取り付け部材３００の取り付け部３０６の穴３０６ａに挿入することにより、キャピラリ部材１５０を取り付け棒１３１に取り付ける。
【００６９】
（第３の実施の形態の変形例５）
図１６を参照すれば、取り付け部材３００はゴム製の取り付け部３０７を有している。そして、キャピラリ部材１５０の取り付け部３５５を取り付け部材３００の取り付け部３０７の穴３０７ａに挿入し、取り付け棒１３１に接続された真空ポンプ３０８で吸引することにより、キャピラリ部材１５０を取り付け棒１３１に取り付ける。なお、取り付け棒１３１内は中空である。
【００７０】
（第４の実施の形態）
第３の実施の形態は、ノズル搬送ライン１２０と、キャピラリ部材搬送ライン１３０とを備えており、ノズル搬送ライン１２０では、ノズル１２１を使用し、キャピラリ部材搬送ライン１３０では、キャピラリ部材１５０が取り付けられる取り付け棒１３１を使用した。図１７を参照すれば、本実施の形態では、ノズル１２１およびノズル搬送ライン１２０は使用せず、キャピラリ部材搬送ライン１３０のみを使用する点が第３の実施の形態と異なる。また、他の点は第３の実施の形態と同様である。本実施の形態では、例えば、図示のごとく、キャピラリ部材用ラック３６０に、複数のキャピラリ部材１５０を収容し、キャピラリ部材用ラック３６０を移動させて分析対象となるキャピラリ部材１５０をキャピラリ部材取り付け位置１３２に順次移動させ、キャピラリ部材１５０を取り付け棒１３１に順次取り付けて複数のキャピラリ部材１５０にそれぞれ採血された血液検体の分析を順次行うことができる。ただし、本実施の形態はこれに限定されず、第１の実施の形態での例のごとく、キャピラリ部材１５０を個別に取り付け棒１３１に取り付けることも可能である。
【００７１】
（第５の実施の形態）
上記第１〜第４の実施の形態では、キャピラリ部材１５０のキャピラリ１６１やろ紙等の液体吸収素材を希釈槽１１３内の希釈液に浸して血液検体を希釈液に直接移動させ、希釈された血液検体を分析ボックス１１０に移送して分析を行った。図１８を参照すれば、本実施の形態では、キャピラリ１６１中の検体を分析用試料作成部材としての試験片１７１にキャピラリ１６１から直接点着し、この検体を試験片１７１に染み込ませた状態で、光学測定器１７５により光学測定する。なお、ノズル１２１に吸引された検体も、分析用試料作成部材としての試験片１７２にノズル１２１から直接点着し、検体を試験片１７２に染み込ませた状態で、光学測定器１７５により光学測定する。
【００７２】
（第６の実施の形態）
上記第５の実施の形態では、キャピラリ１６１中の検体を試験片１７１に直接点着し、検体を試験片１７１に染み込ませた状態で、光学測定器１７５により光学測定した。本実施の形態では、キャピラリ１６１中の検体を分析用試料作成部材としての反応場１７３にキャピラリ１６１から直接移し、次いで、測定場である測定器１７６により、検体の種類等に応じて、比色法や電気化学的測定法、イオン活性測定、キャピラリ電気泳動法等により測定する。また、他の点は第５の実施の形態と同様である。なお、ノズル１２１に吸引された検体も、分析用試料作成部材としての反応場１７３にノズル１２１から直接移し、次いで、測定器１７６により測定する。
【００７３】
例えば、測定器１７６による測定が比色法の場合には、反応場１７３として試薬層を含む試験片を使用して、キャピラリ１６１の先端を当該試験片の試薬層に接触させることによりキャピラリ１６１中の検体を反応場１７３にキャピラリ１６１から直接移動する。その後、当該試験片を測定器１７６の光学測定部に配置して、測定器１７６により比色法により分析を行う。測定器１７６による測定が電気化学的測定法の場合には、反応場１７３として電極および反応試薬を配置した管構造を使用して、当該管構造の入口にキャピラリ１６１の先端を沿わせることによりキャピラリ１６１中の検体を反応場１７３にキャピラリ１６１から直接移動する。その後、当該電極に電圧を印加して、測定器１７６により、電気化学的測定法により分析を行う。測定器１７６による測定がイオン活性測定法の場合、および測定器１７６による測定がキャピラリ電気泳動法の場合にも、同様に適宜の態様で、測定器１７６により、分析を行う。
【００７４】
なお、上記本実施の形態では、反応場１７３と測定場とを別異のものとしたが、同一のものとしてもよい。
【００７５】
本明細書において、キャピラリ部材１５０等の検体採取用具は、微量検体を当該検体採取用具内に採取し、保持可能な用具であることが好ましい。微量検体の「微量」とは、当該検体採取用具内に採取・保持される量として、分析を実施するために必要な最低限の量以上であればどのような量であってもよいが、例えば、０．５μl〜１０μlであり、例えば、１μl〜８μlであり、また例えば、２μl〜５μlである。なお、本明細書において「検体」は、分析対象となる試料を意味し、例えば、血液、尿、唾液等の被験者の体液やその他の液体等であるが、これらに限定されず、例えば、前記体液と他の液（希釈液等）との混合液であってもよいし、また例えば、自然界から取得した固形物を液体に懸濁した懸濁液等であってもよい。
【００７６】
以上、本発明の種々の典型的な実施の形態を説明してきたが、本発明はそれらの実施の形態に限定されない。すなわち、上記実施形態は、人の体液を分析する場合以外にも適用でき、例えば、土壌から取得した試料を用いた放射線量分析等の分析の場合にも適用できる。従って、本発明の範囲は、次の特許請求の範囲によってのみ限定されるものである。
【符号の説明】
【００７７】
１０２ｃ  コントローラ（制御部）
１１０  分析ボックス（分析部）
１１３  希釈槽（分析用試料作成部）
１３０  キャピラリ部材搬送ライン（検体採取用具搬送部材）
１５０  キャピラリ部材（検体採取用具）
【図１】
2015052593.tif 000003
【図２】
2015052593.tif 000004
【図３】
2015052593.tif 000005
【図４】
2015052593.tif 000006
【図５】
2015052593.tif 000007
【図６】
2015052593.tif 000008
【図７】
2015052593.tif 000009
【図８】
2015052593.tif 000010
【図９】
2015052593.tif 000011
【図１０】
2015052593.tif 000012
【図１１】
2015052593.tif 000013
【図１２】
2015052593.tif 000014
【図１３】
2015052593.tif 000015
【図１４】
2015052593.tif 000016
【図１５】
2015052593.tif 000017
【図１６】
2015052593.tif 000018
【図１７】
2015052593.tif 000019
【図１８】
2015052593.tif 000020
【図１９】
2015052593.tif 000021